(57)【要約】      （修正有）【課題】いろいろな音色が出る仏りん及びそれを用いた仏りん装置を提供する。【解決手段】本発明に係る仏りんは、複数の振動部を有することを特徴とする。複数の振動部を有すると、打りんする部位を換えることで、異なる音色となる。本発明に係る仏りん装置は、仏りんを振動伝播体に載置したことを特徴とする。振動伝播体とは、仏りんを打りんした際に発生する振動が伝わり、共振あるいは共鳴するものをいう。材質は、振動が伝播するものであれば制限がない。構造は、振動が伝播されやすいようにプレート状，テーブル状，ボックス状等が好ましい。仏りんは揺動可能になっていてもよい。仏りんを打りんした際に、振動伝播体への振動の伝わりが変化し響きも変化する。本発明に係る仏りんは複数の振動部に分かれているので、左右上下方向の振動成分も含まれた振動が振動伝播体に伝わり共振する。従い、仏りんが揺れると振動部分が変り、音色が変化する。【選択図】図２
2019024695.tif 000002
【特許請求の範囲】
【請求項１】
複数の振動部を有することを特徴とする仏りん。
【請求項２】
請求項１記載の仏りんを振動伝播体に載置したことを特徴とする仏りん装置。
【請求項３】
前記仏りんは振動伝播体の上に揺動可能に載置されていることを特徴とする請求項２記載の仏りん装置。
【発明の詳細な説明】
【技術分野】
【０００１】
本発明は、祭礼用具として使用される仏りん及びそれを用いた仏りん装置に関する。
【背景技術】
【０００２】
仏りんは仏前における礼拝，供養の際にりん棒で打ち鳴らして用いる。
独特の澄み切った音とその長い余韻に特徴がある。
従来の一般的な仏りんは、おわん型の仏りんをりん布団の上に載置し、りん棒で打ち鳴らすものである。
これでは一定の音色しか得られず、共鳴音もそれ程大きいものではなかった。
【０００３】
特許文献１には、木魚であるものの、木魚台を共振させることが記載されている。
しかし、本技術は木魚台に布団を敷いて、この布団の上に木魚を載置したものであって、木魚を叩いた振動が共鳴するものではなく、音が空気を媒介して木魚台を共振させているものである。
また、木魚であることもあって、いろいろな音色を出せるものでもない。
【先行技術文献】
【特許文献】
【０００４】
【特許文献１】実用新案登録第３０６４２４２号公報
【発明の概要】
【発明が解決しようとする課題】
【０００５】
本発明は、いろいろな音色が出る仏りん及びそれを用いた仏りん装置の提供を目的とする。
【課題を解決するための手段】
【０００６】
本発明に係る仏りんは、複数の振動部を有することを特徴とする。
従来の仏りんは、おわん型が一般的であるが、本発明において複数の振動部を有するりん構造にすると、打りんする部位を換えることで、いろいろな異なる音色を楽しむことができる。
複数の振動部を形成する方法としては、造形により一体的に複数の振動片を形成する方法、溶接により複数の振動部を連結する方法等、製作方法に制限はない。
例えば、ハスの花や各種花の複数の花びら状の振動部を形成する。
台部から複数の振動棒を立設する。
複数の振動部を一体的に吊り下げる等が例として挙げられる。
【０００７】
本発明に係る仏りん装置は、上記仏りんを振動伝播体に載置したことを特徴とする。
ここで振動伝播体とは、これに載置された仏りんをりん棒で打りんした際に発生する振動が伝わり、共振あるいは共鳴するものをいう。
材質としては、木材，樹脂材，金属材等、振動が伝播するものであれば特に制限がない。
構造としては、振動が伝播されやすいようにプレート状，テーブル状，ボックス状等が好ましい。
【０００８】
本発明において、仏りんは揺動可能になっていてもよい。
りん棒で仏りんを打りんした際に、この仏りんが揺れるとこの揺れにより振動伝播体への振動の伝わりが変化し、響きにも変化が加わる。
従来のおわん型の仏りんは、同心円状に振動し共鳴するので、底部の振動が小さいのに対して、本発明に係る仏りんは複数の振動部に分かれているので、左右のみならず、上下方向の振動成分も含まれ、この振動が振動伝播体に伝わり、共振する。
したがって、仏りんが揺れると、振動伝播体に接している仏りんの振動部分が変わるので、音色が変化して聞こえる。
【発明の効果】
【０００９】
本発明に係る仏りんは、複数の振動部を有しているので、りん棒にて打りんする位置により、音色が変化する。
また、本発明に係る仏りん装置は、打りんした際のりんの振動がこのりんを載置した振動伝播体に伝わり、響きが増幅される。
【図面の簡単な説明】
【００１０】
【図１】本発明に係る仏りん装置の構成例を示す。
【図２】仏りんの斜視図を示す。
【図３】プレート状の振動伝播体の例を示す。
【図４】揺動型の仏りんの例を示す。
【図５】スタンド型の仏りんの例を示す。
【図６】音を測定した仏りんを示す。
【図７】発生した音の周波数チャートを示す。
【図８】発生した音の周波数チャートを示す。
【発明を実施するための形態】
【００１１】
本発明に係る仏りん及びそれを用いた仏りん装置の構成例について、以下図に基づいて説明するが、本発明はこれに限定されない。
【００１２】
仏りん装置１０は、振動伝播体１２の床面１２ａに仏りん１１を直接載置してある。
図１に示した振動伝播体１２は、木製のボックス型の例を示すが枠型でもよく、また図３に示すようにプレート型の振動伝播体１１２でもよい。
ボックス型は、仏壇のケースを兼ねてもよく、プレート型は仏壇の地板，棚板等の上に置いてもよい。
【００１３】
仏りん１１の斜視図を図２に示す。
仏りん１１は、真鍮の鋳物による造形品の例になっている。
材質に特に制限はないが、アルミ合金，銅合金，ステンレス等の金属製が好ましい。
ベース部１１ａから複数の花びら状の振動部（振動片）１１ｂ，１１ｃ，１１ｄ・・・を立設した例になっている。
それぞれの振動部の形状や肉厚を異ならせてもよい。
【００１４】
りん棒１３は、棒状の把持部１３ｂの先端部に拡径した略球形状の打りん部１３ａを有する。
打りん部１３ａは、内部に金属製の塊を樹脂で包埋した自立型になっている。
これにより、把持部１３ｂを立たせた状態で載置しておき、把持部１３ｂを指でつまむように持ち上げ、打りん部１３ａを軽く振るだけで打りんできる。
【００１５】
図４は、りん棒１３の把持部１３ｂを指でつまみ、打りん部１３ａをりんに向けて振る力にて仏りん１１が左右に揺動するように、仏りんの底面を凸面形状部１１１ａにした例である。
これにより、仏りんの振動が振動伝播体に伝わる際に仏りん１１が揺れているので、軽くうなるような響きになり、音の変化を楽しむことができる。
【００１６】
図５は、仏りん１１を逆さにし、スタンド１４の支柱部１４ａに支持した例を示す。
この場合に仏りん１１の振動は、スタンド１４を介して振動伝播体１１２に伝わり、音色が変化する。
仏りんと支柱部とは連結固定してもよく、弾性体等にて揺動可能に連結してもよい。
また、固定せずに点又は面で揺動可能に支持させてもよく、取り外しが可能であってもよい。
【００１７】
図６に試作した造形品の仏りんの写真を示す。
この仏りんの各振動部１〜７の部分をりん棒にて打りんした際に発生した音の周波数スペクトルを図７，図８のグラフ１〜７に示す。
それぞれ異なるスペクトルを示し、いろいろな音色の変化を楽しむことができる。
このように異形状の造形品からなる仏りんにすると、打りんする部位により音の響きが異なり、振動伝播体の共振によっても音色が変化する。
【符号の説明】
【００１８】
１０      仏りん装置
１１      仏りん
１２      振動伝播体
１３      りん棒
１３ａ    打りん部
１３ｂ    把持部
【図１】
2019024695.tif 000003
【図２】
2019024695.tif 000004
【図３】
2019024695.tif 000005
【図４】
2019024695.tif 000006
【図５】
2019024695.tif 000007
【図６】
2019024695.tif 000008
【図７】
2019024695.tif 000009
【図８】
2019024695.tif 000010
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
ベース部と、前記ベース部から内側に配置した複数の振動片と外側に配置した複数の振動片とを花びら状に形成してあることを特徴とする仏りん。
【請求項２】
請求項１記載の仏りんを振動伝播体に載置したことを特徴とする仏りん装置。
【請求項３】
前記仏りんは振動伝播体の上に揺動可能に載置されていることを特徴とする請求項２記載の仏りん装置。
【手続補正２】
【補正対象書類名】明細書
【補正対象項目名】０００６
【補正方法】変更
【補正の内容】
【０００６】
本発明に係る仏りんは、ベース部と、前記ベース部から内側に配置した複数の振動片と外側に配置した複数の振動片とを花びら状に形成してあることを特徴とする。
従来の仏りんは、おわん型が一般的であるが、本発明において複数の振動部を有するりん構造にすると、打りんする部位を換えることで、いろいろな異なる音色を楽しむことができる。
複数の振動部を形成する方法としては、造形により一体的に複数の振動片を形成する方法、溶接により複数の振動部を連結する方法等、製作方法に制限はない。
例えば、ハスの花や各種花の複数の花びら状の振動部を形成する。
台部から複数の振動棒を立設する。
複数の振動部を一体的に吊り下げる等が例として挙げられる。
【手続補正３】
【補正対象書類名】明細書
【補正対象項目名】００１３
【補正方法】変更
【補正の内容】
【００１３】
仏りん１１の斜視図を図２に示す。
仏りん１１は、真鍮の鋳物による造形品の例になっている。
材質に特に制限はないが、アルミ合金，銅合金，ステンレス等の金属製が好ましい。
ベース部１１ａから複数の花びら状の振動部（振動片）１１ｂ，１１ｃ，１１ｄ・・・を立設した例になっている。
振動片は、図２に示すように外側に位置する振動片１１ｂ〜１１ｇと、その内側に位置する振動片１１ｈ，１１ｉ，１１ｊ・・・とからなる例である。
それぞれの振動部の形状や肉厚を異ならせてもよい。
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
ベース部と、前記ベース部から内側に配置した複数の振動片と外側に配置した複数の振動片とを花びら状に形成してあり、前記複数の振動片はそれぞれ異なる振動周波数を有していることを特徴とする仏りん。
【請求項２】
請求項１記載の仏りんを振動伝播体に載置したことを特徴とする仏りん装置。
【請求項３】
前記仏りんは振動伝播体の上に揺動可能に載置されていることを特徴とする請求項２記載の仏りん装置。
【手続補正２】
【補正対象書類名】明細書
【補正対象項目名】０００６
【補正方法】変更
【補正の内容】
【０００６】
本発明に係る仏りんは、ベース部と、前記ベース部から内側に配置した複数の振動片と外側に配置した複数の振動片とを花びら状に形成してあり、前記複数の振動片はそれぞれ異なる振動周波数を有していることを特徴とする。
従来の仏りんは、おわん型が一般的であるが、本発明において複数の振動部を有するりん構造にすると、打りんする部位を換えることで、いろいろな異なる音色を楽しむことができる。
複数の振動部を形成する方法としては、造形により一体的に複数の振動片を形成する方法、溶接により複数の振動部を連結する方法等、製作方法に制限はない。
例えば、ハスの花や各種花の複数の花びら状の振動部を形成する。
台部から複数の振動棒を立設する。
複数の振動部を一体的に吊り下げる等が例として挙げられる。